(57)【特許請求の範囲】
【請求項１】
土地に定着する突設体内に排便路を設け、また前記突設体内にブース形成部材を収納し、前記排便路上に便座を設け、前記突設体の上面に座板を着脱自在に取り付けて前記便座を遮蔽したことを特徴とする屋外定着型腰掛け。
【請求項２】
便座が外向フランジを有し、前記便座が突設体の上面に形成された段付溝に裏返して没入されたことを特徴とする請求項１の屋外定着型腰掛け。
【請求項３】
排便路が突設体内に着脱自在に取り付けられた排便管であることを特徴とする請求項１の屋外定着型腰掛け。
【請求項４】
ブース形成部材が骨体とジョイント部材とシート材であり、前記骨体とジョイント部材が突設体内に形成された収容空間に収められ、前記シート材が袋に詰められて座板より排便路内に吊り下げられたことを特徴とする請求項１の屋外定着型腰掛け。
【発明の詳細な説明】
【０００１】
【発明の属する技術分野】
本発明は土地に定着する腰掛けに関し、特に簡易便所を形成するための構成部材を具備する屋外用の腰掛けに関する。
【０００２】
【従来の技術】
震災その他の有事の際に避難場所となる公園や校庭等の屋外には公衆便所や学校施設としての便所があるだけであり、多くの人々が利用するには数が足りない。また有事の際を想定して通常時に数多くの便所を設置することは前記屋外本来の使用目的および景観上から無理がある。
【０００３】
前記不都合を解消するものとして従来より仮設便所や可搬型簡易便所があり、これらを有事の際に運んで設置しているが、これらは交通遮断等により確実かつ迅速に運搬して設置することができず、またこれらは和式便所であり、怪我人等の病人や老人には使用しにくく、さらに災害の情勢安定後に他の場所に運搬する必要がある。
【０００４】
一方、病人や老人用として便器を備えた椅子や可搬型のベンチが知られているが、これらは個人用のものであるとともに前記仮設便所や可搬型簡易便所同様、交通遮断時に運搬しにくく、しかも便器こそ有するもののブースまで備えておらず、不特定の人々が便所として迅速かつ確実に使用できるものではない。
【０００５】
【発明が解決しようとする課題】
本発明のうち請求項１の発明は避難場所となる公園や校庭等の屋外に、常時は前記屋外本来の利用目的や景観を損なわない状態で据え付け、有事の際に迅速、確実かつ容易に便所として提供し、また怪我人等の病人や老人にも容易に使用できるようにし、さらに情勢安定後は迅速かつ容易に現況復帰できるようにすることを目的とする。
【０００６】
請求項２の発明は請求項１の発明の目的に加えて有事の際に便座を容易に回動自在に取り付けることができるようにし、しかも座板を簡単に形成できるようにすることを目的とする。
【０００７】
請求項３の発明は請求項１の発明の目的に加えて排便路が交換可能で、清潔に維持できるようにすることを目的とする。
【０００８】
請求項４の発明は請求項１の発明の目的に加えてブースを安価に製造でき、しかも常時はブース形成部材を整頓された状態で保管し、有事の際に極めて迅速、容易かつ確実に組み立てることができるようにすることを目的とする。
【０００９】
【課題を解決するための手段】
上記目的を達成するために、本発明のうち請求項１の発明は土地に定着する突設体内に排便路を設け、また前記突設体内にブース形成部材を収納し、前記排便路上に便座を設け、前記突設体の上面に座板を着脱自在に取り付けて前記便座を遮蔽したことを特徴とする。
【００１０】
本願明細書において腰掛けとは、スツール、椅子、ベンチの上位概念であり、前記いずれをも含む意味である。
【００１１】
前記のように構成すれば、常時は腰掛けとして使用でき、有事の際は座板を取り外して便器に変え、ブース形成部材を取り出してブースを組み立て、便所として使用することができる。
【００１２】
請求項１の発明において、便座は少なくとも尻が当接する面と拝泄物が通過できる空間を有していればよく、また便座は座板により遮蔽されれば突設体の上面より突出しても突出していなくてもよいが、好ましくは請求項２の発明のように便座が外向フランジを有し、前記便座が突設体の上面に形成された段付溝に裏返して没入されるようにする。このように形成すると、便器としての使用の際に前記尻が当接する面ではなく、外向フランジに蝶番を取り付けることができ、拝泄に蝶番により傷つけられたりすることがなく、便座を容易に回動自在に取り付けることができ、また常時は座板の裏面に便座の突出部分を収める凹溝を形成する必要がなく、座板は平面板でよく、座板を簡単に形成することができる。
【００１３】
また請求項１の発明において、排便路は突設体に直接形成しても、若しくは別体を取り付けてもよいが、好ましくは請求項３の発明のように排便路が突設体内に着脱自在に取り付けられた排便管であるようにする。
【００１４】
このようにすると汚物が付着して固化しても容易に交換することができ、詰まって使用不能となることがなく、清潔に維持することができる。
【００１５】
さらに請求項１の発明において、ブース形成部材は少なくとも目隠しができる部材であればよく、しかも突設体内に収納できさえすればよいが、好ましくは請求項４の発明のようにブース形成部材が骨体とジョイント部材とシート材であり、前記骨体とジョイント部材が突設体内に形成された収容空間に収められ、前記シート材が袋に詰められて座板より排便路内に吊り下げられるようにする。
【００１６】
このようにするとブースを安価に製造でき、しかも常時はブース形成部材を整頓された状態で保管でき、有事の際に極めて迅速、容易かつ確実に組み立てることができる。
【００１７】
【発明の実施の形態】
図１〜図７により本発明の第１の実施の形態を説明する。前記第１の実施の形態における腰掛けはスツールであり、土地１に定着するための突設体２をコンクリート、稲田擬石その他の石、木、ＦＲＰその他のプラスチック若しくは金属により柱状、好ましくはくびれ部２２を有する直方体状に形成する。この突設体２に好ましくは図４で示すように排便管３０を遊挿する上下貫通孔２１を形成し、上下貫通孔２１の上端開口部に便座５を嵌入する段付溝８を形成し、図１〜３で示すように突設体２内に骨体４０、ジョイント部材４１を収容するための収容空間２０、２０、２０を形成し、好ましくは各収容空間２０の上端を開口し、突設体２の頭部２３の四隅にボルト遊挿孔２４を設ける。
【００１８】
図４で示すように排便路３としてＦＲＰのようなプラスチックによりらっぱ状の排便管３０を形成し、好ましくは排便管３０の上端開口部に外向フランジ３１を形成し、排便管３０を上下貫通孔２１に収めるとともに排便管３０の下端を上下貫通孔２１の下端口より下方に導出し、排便管３０を突設体２内に着脱自在に取り付ける。具体的には外向フランジ３１を段付溝８の下端面に当接するとともにねじ３２止めする。
【００１９】
集成材その他の木製若しくはプラスチック製の便座５に外向フランジ７を形成し、この便座５を突設体３の上面に形成した段付溝８に裏返して没入し、便座５の尻当接面５０を外向フランジ３１に当接する。
【００２０】
図５、６で示す複数本の骨体４０、４０、４０・・・・・と、これらの骨体４０、４０、４０・・・を接続するジョイント部材４１、４１、４１・・・と、シート材４２、４２・・・によりブース形成部材４を形成し、図２、３で示すように各骨体４０と各ジョイント部材４１を収容空間２０・・内に収納し、図４で示すようにシート材４２、４２・・を折り畳んで袋９に詰める。なおジョイント部材４１を収納する収容空間２０は図１、２で示すようにロの字状に形成するものである。このようにすると、ジョイント部材４１を後述のようにＬ字管４１ａ、三方向管４１ｂに形成したときに整頓して収容することができる。
【００２１】
図１、４で示すように木若しくはプラスチックにより座板６を形成する。具体的には矩形の薄板６０に複数本の細長板６１、６１・・・を固定して座板６を形成し、座板６の下面にフック６２を取り付ける。このフック６２にシート材４２、４２・・を詰めた袋９を掛止し、袋９を排便路３である排便管３０内に吊り下げ、座板６を突設体２の上面に着脱自在に取り付けて便座５を遮蔽する。具体的にはボルト６３を各ボルト遊挿孔２４に貫挿するとともに座板６下面の四隅に螺設した各螺子孔６４に螺着する。前記のように突設体２はくびれ部２２を有しているので、ボルト６３の取り付け作業がしやすく、またボルト６３頭部が座板６の上面に表出せず、着座時に服を引っ掛けたり、怪我をするおそれがない。
【００２２】
なお前記突設体２内への排便管３０の取り付け、段付溝８への便座５の没入、各収容空間２０への各骨体４０と各ジョイント部材４１の収納、各シート材４２を詰めた袋９のフック６２への掛止め、突設体２への座板６の取り付けは工場等の製造段階および現場等の据付段階のいずれで行なってもよい。
【００２３】
また各骨体４０は複数本の鉄パイプよりなり、これらを後述するようなピン４９により雌雄嵌合して繋ぎ、図５、６で示すような角ボックス型のブース４３における前後左右の支柱部分４４、屋根前後部分４５、屋根左右部分４６および扉４７の枠部分４８を形成するものであり、好ましくは各支柱部分４４の下方を構成する鉄パイプ４０ａには尖鋭部４０ｂを形成し、図６、７で示すように前方右側の支柱部分４４を構成する２ケ所の鉄パイプ４０ｃ、４０ｃは溶接４０ｄにより横断面眼鏡状に形成するものであり、またジョイント部材４１は扉４７の枠部分４８の四隅で各鉄パイプを雌雄嵌合して繋ぐためのＬ字管４１ａ、４１ａ・・と、ブース４３の上方四隅で各支柱部分４４、屋根前後部分４５、屋根左右部分４６を構成する上下、左右、前後の三方向に配置される各鉄パイプを雌雄嵌合して繋ぐための三方向管４１ｂ、４１ｂ・・とからなり、それぞれを分解状態で収容空間２０・・に収納する。なおシート材４２を耐火処理をした防水シートで形成する。前記構成部材の他に好ましくは便槽１０および基礎プレート１１を形成し、より好ましくはＦＲＰのようなプラスチックよりなる便槽１０と、コンクリートよりなり、しかも孔１２を有する基礎プレート１１を形成する。
【００２４】
震災その他の有事の際に避難場所となる公園や校庭等の土地１に本発明のスツールを据付けるには、図１、４で示すようにまず便槽１０を埋設し、その上に基礎プレート１１を連続して埋設する。この基礎プレート１１は好ましくは現場での設置時に打設する。なお、基礎プレート１１はあらかじめ工場等で製造したものを運搬して埋設してもよい。次に排便管３０を孔１２に挿通して便槽１０に連通させるとともに突設体２を基礎プレート１１上に載置し、突設体２の下半分を埋設してスツールを土地１に定着させる。
【００２５】
次に本発明の使用法を説明すれば、常時は座板６に腰を降ろし、スツールとして使用する。このため公園や校庭等の本来の目的や景観を損ねることがない。
【００２６】
有事の際には各ボルト６３を外して座板６を突設体２から取り外すとともに袋９を取り出し、袋９をフック６２から外し、袋９から各シート材４２を取り出し、また各収容空間２０から各骨体４０、各ジョイント部材４１を取り出す。各収容空間２０の上端が開口しているので各骨体４０、各ジョイント部材４１は迅速に取り出すことができる。
【００２７】
続いて便座５を段付溝８から取り出し、図１、５で示すように引っくり返して外向フランジ７を段付溝８の上段に嵌入し、蝶番５１の一片を外向フランジ７に、また蝶番５１の他片を突設体２の上面にそれぞれ固定し、便座５を仮想線で示すように回動自在に形成する。なお好ましくは蝶番５１をビス止めにより固定するため外向フランジ７と突設体２の上面にあらかじめねじ孔７０、７０を螺設しておき、これら蝶番５１やビス３２等の部材も袋９や収容空間２０に入れておく。このようにすれば蝶番５１の取り付け作業を迅速にすることができる。
【００２８】
一方、図３、５、６、７で示すように各骨体４０の端部に突設したピン４９を、連続する他の骨体４０である鉄パイプ、眼鏡状の各鉄パイプ４０ｃ、Ｌ字管４１ａおよび三方向管４１ｂの孔にそれぞれ嵌入、つまり雌雄嵌合して繋ぐ。なお骨体４０の一端をＬ字管４１ａ若しくは三方向管４１ｂに、他端を眼鏡状の鉄パイプ４０ｃ若しくは他の骨体４０に繋ぐ場合のようにピン４９を骨体４０の両端に突設するものと、骨体４０の一端のみを連続する他の骨体４０、Ｌ字管４１ａ若しくは三方向管４１ｂに繋げば足りる場合のようにピン４９を骨体４０の一端にのみ突設するものとの２種類（図３で示す）を形成し、ブース４３の大きさ、骨体４０の取り付け位置に応じて必要数、形成する。このようにして前後左右の支柱部分４４、屋根前後部分４５、屋根左右部分４６、扉４７の枠部分４８を形成するとともに各尖鋭部４０ｂを土地１に刺着かつ固定する。また各骨体４０にシート材４２を張設する。具体的にはシート材４２の端縁を各骨体４０に巻き付け、図５で示すように縫着４２ａしても、あらかじめシート材４２の端縁に沿って鳩目４２′を多数個、設けておき、紐４２″を鳩目４２′と骨体４０に千鳥状に掛止して取り付けてもよく、また好ましくは図５で示すように雨がたまらないように屋根部分を傾斜するように形成する。なお好ましくは図６で示すように扉４７に便所である旨を表示したプレート４０ｅを貼着し、また扉４７にドアノブ４０ｆを取り付ける。なお、扉４７に図示を省略した施錠装置を有するドアノブその他の施錠手段を設ける方がよいことは勿論である。
【００２９】
次に本実施の形態のスツールを便所として使用するには、扉４７を開閉し、便座５に腰を掛け、排便、排尿し、また便座５を開いて排尿すればよく、汚物は排便管３０を経て便槽１０に貯留される。またバキュームカーのホースを排便管３０から、若しくは排便管３０を取り外して上下貫通孔２１から便槽１０に導き、汚物を汲み上げる。扉４７の開閉は眼鏡状の鉄パイプ４０ｃに嵌入した枠部分４８のピン４９を中心に回動して行なう。
【００３０】
情勢安定後はブース４３を分解し、ブース形成部材４を突設体２内に収納する等、各部材を有事前の状態に戻し、突設体２の上面に座板６を取り付けて再び腰掛けとして使用する。
【００３１】
なお前記実施の形態では腰掛けをスツールとしたものであるが、図４の仮想線で示すように背もたれ板６５を突設体２に取り付け、腰掛けを椅子として形成してもよく、さらに便槽１０に代えて、図４の仮想線で示すように排便管３０を下水管１３に連通するようにしても、また図８で示すような浄化槽１４に連通するようにしてもよい。
【００３２】
図８は本発明の第２の実施の形態を示すもので、原理的には前記第１の実施の形態と同じであり、同一構成部分については同一符号を付してその詳述を省略し、差異点のみを説明すれば、排便路３を突設体２内に直接形成し、排便路３と浄化槽１４とを管３３を介して連通し、便座５を単なるドーナツ状に形成し、突設体２の上面凹部２５に便座５の下方を嵌脱自在に設けて上方を突設体２の上面より上方に出し、座板６の下面凹部６６を便座５の上方に嵌脱自在に設け、骨体４０、ジョイント部材４１、シート材４２からなるすべてのブース形成部材４を袋９詰めにしてフック６２に掛止し、排便路３に吊り下げ、突設体２を無孔の基礎プレート１１に載置するものである。
【００３３】
図９は本発明の第３の実施の形態を示すもので、原理的には前記第１の実施の形態と同じであり、同一構成部分については同一符号を付してその詳述を省略し、差異点のみを説明すれば、腰掛けとして複数個の椅子を並設してなり、便所としての使用時には仕切り４３′を有する共通のブース４３ですべての椅子を遮蔽できるようにしたものであり、また各突設体２は共通の基礎プレート１１に載置し、各排便路３は共通の導出路３０′を介して共通の浄化槽１４に連通するようにしたものである。椅子の内部構造は第１の実施の形態と同じである。なお仮想線で示す符号２６は土地１に埋設しない載置用突設体２′に座板６、背もたれ板６５を固着してなる介在体であり、常時はこの介在体２６を各椅子の間に挟設し、全体をベンチとするもので、有事の際に各介在体２６を取り外して仕切り４３′を有する共通のブース４３で遮蔽し、前記同様、複数の便器を有する便所として使用するものである。
【００３４】
なお、いずれの実施の形態であっても、排便路３は便槽１０、下水管１３若しくは浄化槽１４のどれかに連通するようにすればよい。
【００３５】
【発明の効果】
本発明のうち請求項１の発明によれば、避難場所となる公園や校庭等の屋外に、常時は前記屋外本来の利用目的や景観を損なわない状態で据え付けることができるとともに有事の際に迅速、確実かつ容易に便所として提供でき、また怪我人等の病人や老人も腰掛けて容易に使用でき、さらに情勢安定後は迅速かつ容易に現況復帰できる。
【００３６】
本発明のうち請求項２の発明によれば、請求項１の発明の効果に加えて有事の際に便座を容易に回動自在に取り付けることができ、しかも座板を簡単に形成できる。
【００３７】
本発明のうち請求項３の発明によれば、請求項１の発明の効果に加えて排便路が交換可能で、清潔に維持できる。
【００３８】
本発明のうち請求項４の発明によれば、請求項１の発明の効果に加えてブースを安価に製造でき、しかも常時はブース形成部材を整頓された状態で保管でき、有事の際に極めて迅速、容易かつ確実に組み立てることができる。
【図面の簡単な説明】
【図１】本発明における第１の実施の形態を示す分解斜視図である。
【図２】同上の実施の形態を腰掛けとして使用した場合の一部を切欠いた平面図である。
【図３】Ａ−Ａ断面図である。
【図４】同上の実施の形態を腰掛けとして使用した場合の縦断側面図である。
【図５】同上の実施の形態を便所として使用した場合の一部を切欠いた側面図である。
【図６】同上の実施の形態におけるブースの一部を切欠いた正面図である。
【図７】Ｂ−Ｂ拡大端面図である。
【図８】本発明における第２の実施の形態の縦断側面図である。
【図９】本発明における第３の実施の形態の一部を切欠いた正面図である。
【符号の説明】
１  土地                              ２  突設体
３  排便路                            ４  ブース形成部材
５  便座                              ６  座板
７  外向フランジ                      ８  段付溝
９  袋                              ２０  収容空間
３０  排便管                          ４０  骨体
４１  ジョイント部材                  ４２  シート材
【図１】
0003771991.tif 000002
【図２】
0003771991.tif 000003
【図３】
0003771991.tif 000004
【図４】
0003771991.tif 000005
【図５】
0003771991.tif 000006
【図６】
0003771991.tif 000007
【図７】
0003771991.tif 000008
【図８】
0003771991.tif 000009
【図９】
0003771991.tif 000010